(57)【要約】【課題】使用時における組み立てが非常に簡単であるとともに、整理する書類の量に応じた分のスペースしか必要とせず、迅速かつ確実に各種書類を一時的に整理する。【解決手段】各種書類４０を湾曲させて立てた状態で収納する書類収納具１であって、略水平に載置される支持基台１０と、シート状の可撓性材料からなる仕切りシート２０と、支持基台１０の上面に複数形成された湾曲した溝であって、仕切りシート２０の下端部が差し込まれる挿通溝１１と、支持基台１０の下面において、挿通溝１１と挿通溝１１との間の凸部分１３に対応する位置に形成される間隙部１２と、支持基台１０の側面において、仕切りシートを把持するように、挿通溝の終端部に配置されるストッパ３１，３２とを備え、ストッパ３１，３２に設けられ、間隙部１２に対して嵌合される楔部３１ａ，３２ａを有する。【選択図】図１
2012240345.tif 000002
【特許請求の範囲】
【請求項１】
各種書類を湾曲させて立てた状態で収納する書類収納具であって、
略水平に載置される支持基台と、
シート状の可撓性材料からなる仕切りシートと、
前記支持基台の上面に複数形成された湾曲した溝であって、前記仕切りシートの下端部が差し込まれる挿通溝と、
前記支持基台の下面において、前記挿通溝と挿通溝との間の凸部分に対応する位置に形成される間隙部と、
前記支持基台の側面において、前記仕切りシートを把持するように、前記挿通溝の終端部に配置されるストッパと
を備え、
前記ストッパに設けられ、前記間隙部に対して嵌合される楔部を有する
ことを特徴とする書類収納具。
【請求項２】
前記仕切りシートの下端には、前記ストッパと係合するように、外方に向けて突設された係合部を有することを特徴とする請求項１に記載の書類収納具。
【請求項３】
前記凸部分は、隣接する他の凸部分と高さが相違することを特徴とする請求項１又は２に記載の書類収納具。
【請求項４】
前記凸部分上面が前記湾曲方向に向けて傾斜されていることを特徴とする請求項１乃至３のいずれかに記載の書類収納具。
【請求項５】
前記凸部分は、高さが異なる２以上の列として形成され、
前記ストッパは、前記挿通溝の始端側及び終端側の両方に一対として設けられ、
各ストッパの高さは、前記凸部分の列のうち最も高い凸部分と、最も低い凸部分のそれぞれの高さ以上となっている
ことを特徴とする請求項１乃至４のいずれかに記載の書類収納具。
【請求項６】
前記一対のストッパは同一形状からなり、
前記楔部は、前記ストッパの側面中央に対し上方又は下方に偏心した位置において、水平方向に突出されている
ことを特徴とする請求項５に記載の書類収納具。
【発明の詳細な説明】
【技術分野】
【０００１】
本発明は、各種書類を幅方向に湾曲させて立てた状態で、複数枚並べて保持することができる書類収納具に関する。
【背景技術】
【０００２】
従来、例えばファクシミリで受けた書類や、コピー或いは印刷された各種書類の一時的な整理は、単に一箇所に積み重ねたり、或いは机上にて内容が直ぐ分かるように標題のみ重ならない程度に平面状に並べておき、これらを必要に応じて後から分類して適所に区分けして保存していた。
【０００３】
このように各種書類を最終的に適所に保存する前に、単にまとめて積み重ねた場合は、後からの各種書類の分類と仕分けが非常に面倒であり、また、一時的に机上に広げて置いておくと、余分なスペースが必要になるとともに、人に触れられたり、風等により書類が散乱したりするという問題があった。
【０００４】
かかる問題を解決すべく、例えば、特許文献１及び２がある。特許文献１に開示された発明は、使用に際して組み立てられ、不使用時には重ねて保管することができるように構成された仕切り付き組立式紙箱である。このような特許文献１に開示された技術により、書類を仕切り毎に収納することができる。
【０００５】
また、特許文献２に開示された発明は、略水平に載置される支持基板の表面上に一対の係止孔を所定間隔おきに複数設け、その係止孔と係合される一対の取付片を有する仕切りシートを支持基板と係合させ、仕切りシートを支持基板に対して略垂直に立ち上がる状態で自立させるものである。このような特許文献２に開示された技術により、整理する書類の量に応じてスペースを変化させることができる。
【先行技術文献】
【特許文献】
【０００６】
【特許文献１】特開２００１−５８６２９号公報
【特許文献２】特許第４２２６８７７号
【発明の概要】
【発明が解決しようとする課題】
【０００７】
しかしながら、特許文献１に記載された発明では、紙箱の組み立て作業が非常に面倒であり、また使用するときに、収納する各種書類の枚数にかかわらず紙箱の容量は予め決まっており、嵩張ってしまって場所をとるものであるため、省スペース化の要請に応じることができないという問題があった。
【０００８】
また、特許文献２に開示された発明では、整理する書類の量に応じた分のスペースを変更させることができるので、省スペース化を実現することができるものの、組立て時に仕切りシートをそれぞれ支持基板と係合しなくてはならず、その作業が未だ煩雑であるという問題がある。
【０００９】
そこで、本発明は以上の点に鑑みてなされたもので、使用時における組み立てがより簡便に行えるとともに、整理する書類の量に応じた分のスペースしか必要とせず、迅速かつ確実に各種書類を一時的に整理することができる書類収納具を提供することを目的としている。
【課題を解決するための手段】
【００１０】
上記課題を解決するために、本発明は、各種書類を湾曲させて立てた状態で収納する書類収納具であって、略水平に載置される支持基台と、シート状の可撓性材料からなる仕切りシートと、支持基台の上面に複数形成された湾曲した溝であって、仕切りシートの下端部が差し込まれる挿通溝と、支持基台の下面において、挿通溝と挿通溝との間の凸部分に対応する位置に形成される間隙部と、支持基台の側面において、仕切りシートを把持するように、挿通溝の終端部に配置されるストッパとを備え、ストッパに設けられ、間隙部に対して嵌合される楔部を有することを特徴とする。
【００１１】
このような発明によれば、支持基台上に設けられた、湾曲した挿通溝に仕切りシートの下端部を差し込むことのみで、仕切りシート全体が幅方向に湾曲し、自立した状態を保たれるので、使用時における組み立てが非常に簡単であるとともに、整理する書類の量に応じた分のスペースしか必要とせず、迅速かつ確実に各種書類を一時的に整理することができる。
【００１２】
特に、本願発明では、挿通溝と挿通溝との間の凸部分に対応する位置に形成される間隙部に対して、ストッパに設けられた楔部が嵌合されるので、これにより、楔部が嵌合された間隙部の両側に隣接する挿通溝の隙間が狭くなり、挿通溝に差し込まれた仕切りシートが把持され、仕切りシートの自立状態をより保持することができる。
【００１３】
上記発明において、仕切りシートの下端には、ストッパと係合するように、外方に向けて突設された係合部を有することが好ましい。この場合には、例えば、ユーザーが仕切りシートを掴み上げたとしても、係合部とストッパとが契合されているため、仕切りシートが外れることを防止することができる。
【００１４】
上記発明において、凸部分は、隣接する他の凸部分と高さが相違することが好ましい。この場合には、凸部分上面に書類を配置させる際、高さの相違に基づき書類を挿入する箇所を分けることで、例えば、重要度の高い書類や紙サイズの大きい書類は、高い凸部分に、重要度の低い書類や紙サイズの小さい書類は、低い凸部分に挿入する等、高さの相違により書類を分かりやすく分類整理することができる。
【００１５】
上記発明において、凸部分上面が湾曲方向に向けて傾斜されていることが好ましい。この場合には、複数の書類を凸部分上面に配置させた際、それぞれの書類は、同じ方向に傾いて整列され、重なった書類の上部がズレて収納されることとなり、目的の書類を即時に発見できるとともに、容易に取り出すことができる。
【００１６】
上記発明において、凸部分は、高さが異なる２以上の列として形成され、ストッパは、挿通溝の始端側及び終端側の両方に一対として設けられ、各ストッパの高さは、凸部分の列のうち最も高い凸部分と、最も低い凸部分のそれぞれの高さ以上となっていることが好ましい。
【００１７】
この場合には、各ストッパの高さがそれぞれ異なるので、例えば、一方のストッパを最も高い凸部分の高さ以上とし、他方のストッパを最も低い凸部分の位置とほぼ等しいとすれば、一方のストッパでは、書類に対してもストッパとしての機能を有することとなり、また、他方のストッパ側では書類を出し入れすることができるなど、設置場所や使用目的に応じて使用態様を変更することができる。
【００１８】
上記発明において、一対のストッパは同一形状からなり、楔部は、ストッパの側面中央に対し上方又は下方に偏心した位置において、水平方向に突出されていることが好ましい。この場合に、楔部は、ストッパの側面中央に対し上方又は下方に偏心した位置において、水平方向に突出されているので、例えば、一方のストッパを楔部が上方に偏心した状態で間隙部と嵌合させ、他方のストッパは、一方のストッパを反転させて、楔部が下方に偏心した状態で間隙部と嵌合させることで、使用時に、それぞれのストッパの高さを異なる状態とすることができる。これにより、同一形状のストッパであっても、例えば、一方のストッパを最も高い凸部分の高さ以上とし、他方のストッパを最も低い凸部分の位置とほぼ等しいとするなど、設置場所や使用目的に応じて使用態様を変更することができる。さらには、一対のストッパは同一形状となっているため、部品点数を減らすことができ、製造コストを低減させるとともに、簡易に製造することができる。
【発明の効果】
【００１９】
このような発明によれば、使用時における組み立てが非常に簡単であるとともに、整理する書類の量に応じた分のスペースしか必要とせず、迅速かつ確実に各種書類を一時的に整理することができる。
【図面の簡単な説明】
【００２０】
【図１】実施形態に係る書類収納具の全体構成を示す斜視図である。
【図２】実施形態に係る支持基台の全体構成を示す斜視図である。
【図３】実施形態に係る支持基台を側面より示す説明図である。
【図４】実施形態に係るストッパと支持基台との位置関係を示す上面図である。
【図５】（ａ）及び（ｂ）は、実施形態に係るストッパの構成を示す斜視図である。
【図６】実施形態に係る楔部が間隙部に対して嵌合される状態を上面より示す説明図である。
【図７】（ａ）及び（ｂ）は、実施形態に係るストッパの高さと、凸部との高さとを側面より示す説明図である。
【図８】実施形態に係る仕切りシートを示す斜視図である。
【図９】実施形態に係る係合部とストッパとの位置関係を示す前面図である。
【図１０】実施形態に係る書類収納具の使用状態を示す斜視図である。
【図１１】実施形態に係る書類収納具の使用状態を示す斜視図である。
【図１２】（ａ）及び（ｂ）は、変更例に係るストッパの構成を示す斜視図である。
【図１３】変更例に係る支持基台、ストッパ、及び仕切りシートの位置関係を示す前面図である。
【図１４】変更例に係る書類収納具の全体構成を示す斜視図である。
【図１５】変更例に係る支持基台が複数連結した状態を示す上面図である。
【図１６】（ａ）は、変更例に係る支持基台の柱の位置を示す上面図であり、（ｂ）は、変更例に係る支持基台を積み上げた状態を示す側面図である。
【発明を実施するための形態】
【００２１】
以下、図面に基づき本発明を代表する各種実施の形態を説明する。図１は、本実施形態に係る書類収納具１の全体構成を示す斜視図であり、図２は、本実施形態に係る支持基台の全体構成を示す斜視図であり、図３は、本実施形態に係る支持基台を側面より示す説明図である。
【００２２】
本実施の形態に係る書類収納具１は、例えばファクシミリで受けた書類やコピー或いは印刷された各種書類を、幅方向に湾曲させて立てた状態で収納するものである。以下、主としてＡ４サイズの書類を横向きに立てた状態にして整理保持する場合を想定して説明する。
【００２３】
図１に示すように、書類収納具１は、机や棚等の上に略水平に載置される支持基台１０と、シート状の可撓性材料からなり、前記支持基台１０上に所定間隔おきに複数連続して自立した状態に取り付け可能な仕切りシート２０と、仕切りシート２０を把持するストッパ３０を有してなる。
【００２４】
支持基台１０は、木或いは合成樹脂からなる板状部材であり、図２に示すように、支持基台１０の上面には、支持基台１０の幅方向に湾曲した溝であって、仕切りシート２０が差し込まれる挿通溝１１が複数形成されている。この挿通溝１１は、仕切りシート２０の厚さとほぼ同じ長さの幅を有しており、仕切りシート２０の下端部が差し込まれ、自立可能な程度の深さを有している。
【００２５】
また、支持基台１０の上面には、挿通溝１１と挿通溝１１との間に上方に向けて突出した凸部分１３が複数形成されており、この凸部分１３の上面に書類を配置させるようになっている。凸部分１３は、図３に示すように、高さが異なる２以上の列として形成されており、本実施形態では、高さが高い凸部分１３ａと、高さが低い凸部分１３ｂとが交互に配置された構成となっている。さらに、これらの凸部分１３ａ，１３ｂの上面は、湾曲方向に向けて傾斜されている。なお、本実施形態において、凸部分１３ａ，１３ｂは、異なる２つの高さで構成されたが、本発明は、これに限定するものではなく、例えば、高さを全て統一させたり、異なる高さが段階的に配置される構成としてもよい。
【００２６】
また、支持基台１０の下面は、図３に示すように、挿通溝１１と挿通溝１１との間の凸部分１３に対応する位置に形成される間隙部１２が構成されている。本実施形態において、間隙部１２は、凸部分１３ａの高さに対応した間隙部１２ａと、凸部分１３ｂの高さに対応した間隙部１２ｂとを有し、間隙部１２ａ，１２ｂとが交互に配置されるようになっている。また、間隙部１２ａ，１２ｂについても、支持基台１０の幅方向に湾曲した構成となっている。
【００２７】
次いで、ストッパ３０について説明する。図４は、本実施形態に係るストッパ３０と支持基台１０との位置関係を示す上面図であり、図５（ａ）及び（ｂ）は、本実施形態に係るストッパ３０の構成を示す斜視図であり、図６は、本実施形態に係る楔部３０ａが間隙部１２に対して嵌合される状態を上面より示す説明図であり、図７（ａ）及び（ｂ）は、本実施形態に係るストッパ３０の高さと、凸部分１３との高さとを側面より示す説明図である。
【００２８】
ストッパ３０は、木或いは合成樹脂からなる板状部材であり、図４に示すように、支持基台１０の両側面において、仕切りシート２０を把持するように、挿通溝１１の始端側１１ａ及び終端側１１ｂの両方に一対として設けられている。本実施形態において、一対のストッパ３０，３０は、同一形状からなっており、各ストッパ３０の側面には、図５（ａ）及び（ｂ）に示すように、間隙部１２ａに対応する位置において、間隙部１２に対して嵌合される楔部３０ａを複数有している。
【００２９】
楔部３０ａは、間隙部１２ａの幅よりも若干太い幅を有した略長方形の形状となっており、楔部３０ａを間隙部１２ａに嵌合させた際、図６（ａ）及び（ｂ）に示すように、凸部分１３ａの側部を左右に拡がらせ、間隙部１２の両隣に配置された挿通溝１１，１１の幅を狭めるようになっている。これにより、挿通溝１１に差し込まれた仕切りシート２０は、幅が狭くなった挿通溝１１，１１によって把持されることとなり、仕切りシート２０が抜け落ちることを防止することができる。
【００３０】
また、本実施形態において、楔部３０ａは、図５（ａ）及び（ｂ）に示すように、ストッパ３０の側面中央線ＣＬに対し上方又は下方に偏心した位置において、水平方向に突出されている。そして、本実施形態では、楔部３０ａを上方又は下方に偏心した位置に配置させた状態のストッパ３０を支持基台１０に設置させることで、ストッパ３０の高さを調整させ、書類４０の飛び出しを防止したり、書類４０の出し入れを容易にさせている。
【００３１】
詳述すると、始端側１１ａに配置されるストッパ３０は、図５（ａ）に示すように、楔部３０ａがストッパ３０の上方に偏心した位置に配置された状態で間隙部１２ａに嵌合されるようになっている。この場合、図７（ａ）に示すように、始端側１１ａに設けられたストッパ３０の高さＨ１は、凸部分１３の列のうち最も低い凸部分１３ｂの高さＨ２とほぼ等しい高さとなっている。
【００３２】
一方、終端側１１ｂに配置されるストッパ３０は、始端側１１ａのストッパ３０ストッパが反転された状態、すなわち、図５（ｂ）に示すように、楔部３０ａがストッパ３０の下方に偏心した位置に配置された状態で、間隙部１２ａに嵌合されるようになっている。この場合、図７（ｂ）に示すように、始端側１１ａに設けられたストッパ３０の高さＨ３は、凸部分１３の列のうち最も高い凸部分１３ａの高さＨ４以上となっている。
【００３３】
なお、本実施形態では、始端側のストッパ３０の高さＨ１を最も低い凸部分１３ｂの高さＨ２とほぼ等しい高さとし、終端側のストッパ３０の高さＨ３を凸部分１３ａの列のうち最も高い部分Ｈ４以上の高さとしたが、本発明は、これらに限定されるものではなく、例えば、始端側のストッパ３０の高さＨ１及び終端側のストッパ３０の高さＨ３を最も低い凸部分１３ｂの高さＨ２とほぼ等しい高さとしたり、凸部分１３ａの列のうち最も高い部分Ｈ４以上とするなど、ユーザーの使用目的に応じて変更させてもよい。
【００３４】
次いで、仕切りシート２０について説明する。図８は、本実施形態の仕切りシート２０を示す斜視図であり、図９は、本実施形態に係る係合部２１ａ，２１ｂとストッパ３０，３０との位置関係を示す前面図である。
【００３５】
本実施形態において、仕切りシート２０は、図８（ａ）に示すように、シート状の可撓性材料を縦方向よりも横方向に長い矩形に裁断したものであり、Ａ４サイズの大きさに形成されている。可撓性材料としては、例えば、ポリプロピレンや塩化ビニル等の合成樹脂等を用いればよい。また、仕切りシート２０は、その幅方向に湾曲させた状態で自立させるので、強固な剛性を保つ程の厚みは必要なく、なるべく薄く形成することができる。なお、書類の種類や内容が直ぐわかるように、例えば、図８（ｂ）に示すように、仕切りシート２０の端縁に、各種書類を分類するための見出しタグ２２を設けてもよい。このように見出しタグを設けることにより、各仕切りシート２０間により分かりやすく、また後から書類の種類が直ぐ分かるように、各種書類を分類することができる。見出しタグの取り付け位置は、仕切りシートの上端縁でも側端縁でもよい。また、前記仕切りシート２０を、その表面の色が互いに異なる複数種類の色に形成すれば、色の相違に応じて書類を分かりやすく分類整理することができる。
【００３６】
本実施形態において、仕切りシート２０は、ストッパ３０と係合する係合部２１ａ，２１ｂを有している。係合部２１ａ，２１ｂは、仕切りシート２０の表面と同一平面に連なり、下端の両側部において、外方に向けて突設されるようになっている。特に、本実施形態において、係合部２１ａ，２１ｂは、図９に示すように、係合部２１ａ，２１ｂの上面が、始端側１１ａ及び始端側のストッパ３０，３０の下面と接するようになっており、係合部２１ａと係合部２１ｂとは、それぞれのストッパ３０との係合位置に対応する形状となっている。なお、係合部２１ａ，２１ｂは着脱可能に設けてもよい。
【００３７】
次に書類収納具１の設置方法を説明する。図１０及び図１１は、本実施形態に係る書類収納具１の使用状態を示す斜視図である。
【００３８】
本実施形態において、書類収納具１を使用するに際しては、図１０に示すように、先ず、支持基台１０を机上等に略水平な状態で載置し、支持基台１０上に仕切りシート２０を、各種書類の必要な区分け数に応じて、所定間隔おきに複数連続して挿通溝１１に差し込み、取り付ける。
【００３９】
仕切りシート２０を取り付ける間隔は、前後に並ぶ挿通溝１１毎に密に連続させてもよく、或いは挿通溝１１の１つおき、或いは複数個おきに間隔を空けるようにして取り付けてもよい。このような前後に並ぶ各仕切りシート２０間の隙間は、該隙間に収納すべき書類４０の数量に応じて適宜調整することができる。
【００４０】
仕切りシート２０の下端部を挿通溝１１に嵌め込むと、幅方向に湾曲することで強固に自立した状態に保たれる。したがって、仕切りシート２０には、平面状に真っ直ぐ自立するまでの剛性を備えさせる必要はなく、仕切りシート２０をなすシート状の可撓性材料はなるべく薄く形成することができる。このように書類収納具１の組み立ては、各仕切りシート２０を必要な枚数分だけ、所定間隔おきに支持基台１０上に略垂直に立ち上がる状態に並べて自立させるだけでよい。
【００４１】
次いで、ストッパ３０を挿通溝１１の終端側１１ｂに配置させる。本実施形態では、終端側１１ｂに配置させるストッパ３０は、楔部３０ａがストッパ３０の下方に偏心した位置に配置された状態で、間隙部１２ａに対して嵌合させる。これにより、図６（ｂ）に示すように、凸部分１３ａの側部が左右に拡げられ、間隙部１２の両隣に配置された挿通溝１１，１１の幅を狭めて、仕切りシート２０を把持させる。また、ストッパ３０を係合部２１ａと係合させる。本実施形態では、これにより、書類４０を差し込んだ際、書類４０が支持基台１０からはみ出すことを防止することができる。
【００４２】
そして、図１１に示すように、各種書類４０をそれぞれ分類した上で、各仕切りシート２０間における複数の隙間のうちの適所に書類４０を挿入する。ここで書類４０は、各仕切りシート２０の湾曲に合わせて、同じく幅方向に湾曲させることで自立することも可能となり、各仕切りシート２０間に確実に保持収納することができる。なお、支持基台１０上において、仕切りシート２０を取り付ける必要がない箇所は単なる平板状の部位となり、嵩張ることもなく他の物を載置してもよい。
【００４３】
そして、最後に、図１１に示すように、ストッパ３０を挿通溝１１の始端側１１ａに配置させる。本実施形態では、始端側１１ａに配置させるストッパ３０は、楔部３０ａがストッパ３０の上方に偏心した位置に配置された状態で、間隙部１２ａに嵌合させる。これにより、図６（ｂ）に示すように、凸部分１３ａの側部が左右に拡げられ、間隙部１２の両隣に配置された挿通溝１１，１１の幅を狭めて、仕切りシート２０を把持させる。また、ストッパ３０を係合部２１ｂと係合させる。
【００４４】
なお、本実施形態では、書類４０を凸部分１３ａ，１３ｂに設置させた後に、始端側１１ａにストッパ３０を嵌合させたが、本発明は、これに限定するものではなく、始端側１１ａにストッパ３０を嵌合させた後に、書類４０を凸部分１３ａ，１３ｂに設置させてもよい。
【００４５】
（作用・効果）
上述した本実施形態によれば、支持基台１０上に設けられた、湾曲した挿通溝１１に仕切りシート２０の下端部を差し込むことのみで、仕切りシート２０全体が幅方向に湾曲し、自立した状態を保たれるので、使用時における組み立てが非常に簡単であるとともに、整理する書類の量に応じた分のスペースしか必要とせず、迅速かつ確実に各種書類を一時的に整理することができる。
【００４６】
特に、本実施形態では、挿通溝１１と挿通溝１１との間の凸部分１３に対応する位置に形成される間隙部１２に対して、ストッパ３０に設けられた楔部３０ａを嵌合させるので、凸部分１３ａの側部が左右に拡げられ、間隙部１２の両隣に配置された挿通溝１１，１１の幅が狭められる。その結果、挿通溝１１に差し込まれた仕切りシート２０をより把持して、自立状態を保持することができる。
【００４７】
また、本実施形態では、仕切りシート２０の下端には、ストッパ３０，３０と係合するように、外方に向けて突設された係合部２１ａ，２１ｂを有しているので、例えば、ユーザーが仕切りシートを掴み上げたとしても、係合部２１ａ，２１ｂとストッパ３０，３０とが契合されているため、仕切りシートが外れることを防止することができる。
【００４８】
また、本実施形態では、凸部分１３ａ，１３ｂは、隣接する他の凸部分と高さが相違するので、高さの相違に基づき書類４０を挿入する箇所を分けることができ、例えば、重要度の高い書類や紙サイズの大きい書類は、高い凸部分１３ａに、重要度の低い書類や紙サイズの小さい書類は、低い凸部分１３ｂに挿入する等、高さの相違により書類を分かりやすく分類整理することができる。
【００４９】
また、本実施形態では、凸部分１３ａ，１３ｂ上面が湾曲方向に向けて傾斜されているので、複数の書類４０を凸部分１３ａ，１３ｂ上面に挿入して立てかけた際、それぞれの書類４０は、同じ方向に傾いて整列され、例えば、重なった書類４０の上部がズレて収納されることとなり、目的の書類４０を即時に発見できるとともに、容易に取り出すことができる。
【００５０】
また、本実施形態では、凸部分１３ａ，１３ｂは、高さが異なる２以上の列として形成され、ストッパ３０，３０は、挿通溝１１の始端側１１ａ及び終端側１１ｂの両方に一対として設けられ、終端側のストッパ３０の高さＨ４は最も高い凸部分１３ａの高さＨ３以上とし、始端側のストッパ３０の高さＨ１は最も低い凸部分１３ｂの高さＨ２とほぼ等しい高さとしているので、終端側１１ｂでは書類４０が書類収納具１からはみ出しを防止することができるとともに、始端側１１ａでは、書類４０を出し入れすることができる。
【００５１】
さらに、本実施形態では、始端側１１ａと終端側１１ｂに設けられる一対のストッパ３０，３０は、同一形状からなっているので、部品点数を減らすことができ、製造コストを低減させるとともに、簡易に制作することができる。また、楔部３０ａは、ストッパ３０の側面中央ＣＬに対し上方又は下方に偏心した位置において、水平方向に突出されているので、例えば、一方のストッパ３０を楔部３０ａが上方に偏心した状態で始端側１１ａの間隙部１２ａと嵌合させ、他方のストッパ３０は、一方のストッパ３０を反転させて、楔部３０ａが下方に偏心した状態で終端側１１ｂの間隙部１２ａと嵌合させることで、それぞれのストッパ３０，３０の高さを異なる状態とすることができる。
【００５２】
すなわち、本実施形態では、一方のストッパ３０の高さＨ１を最も低い凸部分１３ｂの高さＨ２とほぼ等しい高さとなり、他方のストッパ３０の高さＨ３を最も高い凸部分１３ａの高さＨ４以上とすることができ、同一形状のストッパであっても、終端側１１ｂでは書類４０が書類収納具１からはみ出しを防止することができるとともに、始端側１１ａでは、書類４０を出し入れすることができる。
【００５３】
（変更例）
以上、本発明の実施の形態を説明したが、具体的な構成は前述した実施の形態に限られるものではなく、本発明の要旨を逸脱しない範囲における変更や追加があっても本発明に含まれる。図１２（ａ）及び（ｂ）は、本変更例に係るストッパ３１，３２の構成を示す斜視図であり、図１３は、本変更例に係る支持基台１０、ストッパ３１，３２、及び仕切りシート２０の位置関係を示す前面図であり、図１４は、本変更例に係る書類収納具の全体構成を示す斜視図である。
【００５４】
例えば、上述した実施形態では、始端側１１ａ及び終端側１１ｂに配置されるストッパ３０，３０は同一形状としたが、本発明はこれに限定するものではなく、書類４０の飛び出しを防止したり、書類４０の出し入れを容易にさせることができればよく、異なる形状の部材を用いてもよい。
【００５５】
本変更例では、図１２（ａ）及び（ｂ）に示すように、始端側１１ａに配置されるストッパ３１と、終端側１１ｂに配置されるストッパ３２とは、異なる高さを有した形状となっている。このストッパ３１，３２は、底面から同距離の高さｈ１に配置された楔部３１ａ，３２ａを有しており、図１３に示すように、始端側１１ａに配置されたストッパ３１の高さＨ５は、最も低い凸部分１３ｂの高さＨ４とほぼ等しい高さとなっており、終端側１１ｂに配置されたストッパ３２の高さＨ６は、凸部分１３ａの列のうち最も高い部分Ｈ３以上の高さとなっている。
【００５６】
このような本変更例によれば、図１４に示すように、終端側１１ｂは、ストッパ３２によって書類４０の飛び出しを防止するとともに、始端側１１ａは、書類４０の出し入れを容易にすることができる。
【００５７】
また、上述した実施形態における楔部３０ａは、若干太い幅を有した略長方形の形状としたが、本発明はこれに限定するものではなく、楔部３０ａを間隙部１２ａに嵌合させた際、間隙部１２の両隣に配置された挿通溝１１，１１の幅を狭めることができればよく、例えば、釘やネジなどの先尖状の部材を用いてもよい。
【００５８】
また、例えば、支持基台１０を複数に分割可能に構成してもよい。具体的には例えば、仕切りシート２０を湾曲させた際の曲線に沿って前後方向に２分割して、互いに対接する端縁同士を当接させて複数連結することができるようになっている。
【００５９】
それにより、書類収納具１を使用する前には、支持基台１０を分割してコンパクトにまとめることができ、書類収納具１全体を嵩張らない状態で保管したり、搬送することが可能となる。また、曲線に沿って分割することにより、複数連結した場合に支持基台１０上の面積の損失を小さくすることができる。
【００６０】
なお、上述した支持基台１０は、分割した支持基台１０を連結させる構成としたが、本発明はこれに限定するものではなく、支持基台１０を、複数連結させることもできる。具体的には、図１５に示すように、一方の支持基台１０の正面１４に設けられた連結手段１４１と、他方の支持基台１０の背面１５に設けられた連結手段１５１とを連結させることで、支持基台１０を長手方向に複数連結する。さらに、支持基台１０の上部に他の支持基台１０を積み上げる構成としてもよい。具体的には、例えば、図１６（ａ）に示すように、支持基台１０の四隅に所定の柱を備え、他の支持基台１０を各柱の上面に配置させて連結する構成としてもよい。また、例えば、図１６（ｂ）に示すように、支持基台１０の正面１４及び背面１５側に配置される仕切りシート２３，２３の厚みを他の仕切りシート２０よりも増やし、この仕切りシート２３，２３の上面に他の支持基台１０を配置させて連結する構成としてもよい。このように支持基台１０は、上方向や左右方向に連結可能であるので、様々な設置場所に配置できるとともに、整理する書類の量に応じて収納スペースを増やすことができ、迅速かつ確実に各種書類を一時的に整理することができる。
【００６１】
また、仕切りシート２０を、少なくとも縦方向の寸法が互いに異なる複数種類の大きさに形成してもよい。それにより、前記支持基台１０上で前後に並ぶ各仕切りシート２０に高さの違いが生じて、これらの間に書類を挿入しやすくなる。
【００６２】
また、各仕切りシート２０の高さの相違に基づいて、書類を挿入する箇所を分かりやすく区分することにより、例えば、重要度の高い書類や紙サイズの大きい書類は、高い仕切りシート２０の間に、重要度の低い書類や紙サイズの小さい書類は、低い仕切りシート２０の間に挿入する等、高さの相違により書類を分かりやすく分類整理することができる。
【符号の説明】
【００６３】
ＣＬ…中心線
１…書類収納具
１０…支持基台
１１…挿通溝
１１ａ…始端側
１１ｂ…終端側
１２（１２ａ，１２ｂ）…間隙部
１３（１３ａ，１３ｂ）…凸部分
１４…正面
１５…背面
２０…仕切りシート
２１（２１ａ，２１ｂ，２１ｃ）…係合部
２２…見出しタグ
２３…仕切りシート
３０…ストッパ
３０ａ…楔部
３１，３２…ストッパ
３１ａ，３２ａ…楔部
４０…書類  
【図１】
2012240345.tif 000003
【図２】
2012240345.tif 000004
【図３】
2012240345.tif 000005
【図４】
2012240345.tif 000006
【図５】
2012240345.tif 000007
【図６】
2012240345.tif 000008
【図７】
2012240345.tif 000009
【図８】
2012240345.tif 000010
【図９】
2012240345.tif 000011
【図１０】
2012240345.tif 000012
【図１１】
2012240345.tif 000013
【図１２】
2012240345.tif 000014
【図１３】
2012240345.tif 000015
【図１４】
2012240345.tif 000016
【図１５】
2012240345.tif 000017
【図１６】
2012240345.tif 000018